(57)【特許請求の範囲】
【請求項１】
カゴ床と、
前記カゴ床縁部に配置されるカゴ室壁下部取付部と、
前記カゴ室壁下部取付部上方に立設されるカゴ室壁と、
前記カゴ室壁下部取付部及び前記カゴ室壁の下部を係合させる下部取付具と、
前記カゴ室壁下部取付部及び前記カゴ室壁の下部が前記下部取付具により係合される際に協働して形成するラビリンス構造からなる通気経路と、
を備え、
前記カゴ室壁下部取付部は、前記カゴ床縁部に鉛直配置される幅木取付部上端からカゴ室内側へ延びて形成され、
前記カゴ室壁は、下面よりも下方へ延伸し、かつ、カゴ室外側へ延びる下部突出部が形成される曲折部を備え、
前記下部取付具は、前記カゴ室壁下面に固定され、カゴ室内側から移動されることにより前記カゴ室壁下部取付部が差し込まれて嵌め込まれ、
前記通気経路は、前記カゴ室壁下部取付部が前記カゴ室壁下面及び前記下部突出部上面の間に離れて配置されることにより形成されることを特徴とするエレベータのカゴ室。
【請求項２】
下部取付具は、樹脂材、金属材、ゴム材のいずれか一つで構成されることを特徴とする請求項１記載のエレベータのカゴ室。
【請求項３】
通気経路は、内面に吸音材が配置されていることを特徴とする請求項１又は請求項２に記載のエレベータのカゴ室。
【請求項４】
カゴ室壁は、カゴ天井と隙間を有した状態で固定されることを特徴とする請求項１〜請求項３のいずれかに記載のエレベータのカゴ室。
【請求項５】
カゴ室壁は、ゴム材からなる上部取付具を介してカゴ天井と固定されることを特徴とする請求項４記載のエレベータのカゴ室。
【発明の詳細な説明】
【技術分野】
【０００１】
この発明は、エレベータのカゴ室に関するものである。
【背景技術】
【０００２】
従来のエレベータのカゴ室において、壁パネルは、上下端にフランジ付きのポップナットが取り付けられており、カゴ天井、カゴ床とボルトにより締結されていた。また、別の従来のエレベータのカゴ室として、巾木の穴にクリップナットを嵌めて、壁パネルをボルトにて締結されるものも提案されている（例えば、特許文献１参照）。
【０００３】
一方、騒音対策として、カゴ床側の取付台とカゴ室壁の間に吸音材としてスポンジテープ等を敷くエレベータのカゴ室が提案されている。また、別の騒音対策として、カゴ床と壁パネルとの間にラビリンス構造を有することでカゴ室内の静粛性を向上できることは知られている（例えば、特許文献２参照）。このラビリンス構造は、エレベータのカゴ室に限定されるものではなく、建築物の床と壁の間にも採用されるものである（例えば、特許文献３）。
【０００４】
【特許文献１】実開昭６２−９８６７６号公報
【特許文献２】実開平１−１２０６３号公報
【特許文献３】特開２００２−１９４８２５号公報
【発明の開示】
【発明が解決しようとする課題】
【０００５】
しかし、従来のエレベータのカゴ室では、カゴパネルを設置する際に天井上に上りボルトで締結し、巾木を取り付ける前にカゴ床の立ち上がり部分に手を入れてボルトで締結する必要があり、手間が掛かっていた。また、特許文献１記載のものも、同様に壁パネルをボルトで締結することに手間が掛かるのに変わりはなかった。
【０００６】
一方、吸音材を敷いて騒音対策を行うエレベータのカゴ室は、作業性が煩雑であり、また、カゴ床取付台と壁パネルとの隙間を塞ぐためにカゴ室内からの美観、自然換気量が損なわれていた。特許文献２及び特許文献３に記載のものは、カゴ室内からの美観、自然換気量は損なわれないが、構造が複雑な騒音対策品取付作業の煩雑さから、簡便な対策が要求されていた。
【０００７】
この発明は、上述のような課題を解決するためになされたもので、その目的は、簡易な構造で、自然換気量を損なうことなく、騒音対策もなされているエレベータのカゴ室を提供することである。
【課題を解決するための手段】
【０００８】
この発明に係るエレベータのカゴ室は、カゴ床と、前記カゴ床縁部に配置されるカゴ室壁下部取付部と、前記カゴ室壁下部取付部上方に立設されるカゴ室壁と、前記カゴ室壁下部取付部及び前記カゴ室壁の下部を係合させる下部取付具と、前記カゴ室壁下部取付部及び前記カゴ室壁の下部が前記下部取付具により係合される際に協働して形成するラビリンス構造からなる通気経路とを備え、前記カゴ室壁下部取付部は、前記カゴ床縁部に鉛直配置される幅木取付部上端からカゴ室内側へ延びて形成され、前記カゴ室壁は、下面よりも下方へ延伸し、かつ、カゴ室外側へ延びる下部突出部が形成される曲折部を備え、前記下部取付具は、前記カゴ室壁下面に固定され、カゴ室内側から移動されることにより前記カゴ室壁下部取付部が差し込まれて嵌め込まれ、前記通気経路は、前記カゴ室壁下部取付部が前記カゴ室壁下面及び前記下部突出部上面の間に離れて配置されることにより形成されるものである。
【発明の効果】
【０００９】
この発明は、カゴ床と、前記カゴ床縁部に配置されるカゴ室壁下部取付部と、前記カゴ室壁下部取付部上方に立設されるカゴ室壁と、前記カゴ室壁下部取付部及び前記カゴ室壁の下部を係合させる下部取付具と、前記カゴ室壁下部取付部及び前記カゴ室壁の下部が前記下部取付具により係合される際に協働して形成するラビリンス構造からなる通気経路とを備え、前記カゴ室壁下部取付部は、前記カゴ床縁部に鉛直配置される幅木取付部上端からカゴ室内側へ延びて形成され、前記カゴ室壁は、下面よりも下方へ延伸し、かつ、カゴ室外側へ延びる下部突出部が形成される曲折部を備え、前記下部取付具は、前記カゴ室壁下面に固定され、カゴ室内側から移動されることにより前記カゴ室壁下部取付部が差し込まれて嵌め込まれ、前記通気経路は、前記カゴ室壁下部取付部が前記カゴ室壁下面及び前記下部突出部上面の間に離れて配置されることにより形成される構成としたことで、簡易な構造で、自然換気量を損なうことなく、騒音対策もなされているエレベータのカゴ室を提供することができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明の実施の形態１におけるエレベータのカゴ室の縦断面図、図２はこの発明の実施の形態１におけるエレベータのカゴ室に用いられるカゴ室壁のカゴ室外側から見た正面図、図３は図２のＡ−Ａ線における断面図、図４はこの発明の実施の形態１におけるエレベータのカゴ室においてカゴ室壁及び天井の固定に用いられる上部取付具の正面図、図５はこの発明の実施の形態１におけるエレベータのカゴ室においてカゴ室壁及びカゴ床の固定に用いられる下部取付具の側面図、図６はこの発明の実施の形態１におけるエレベータのカゴ室に用いられるカゴ床の要部を示す斜視図、図７はこの発明の実施の形態１におけるエレベータのカゴ室においてカゴ室壁及びカゴ天井の固定直前の状態を示す要部縦断面図、図８はこの発明の実施の形態１におけるエレベータのカゴ室においてカゴ室壁及びカゴ天井の固定が完了した状態を示す要部縦断面図、図９はこの発明の実施の形態１におけるエレベータのカゴ室においてカゴ室壁及びカゴ床の固定を開始した直後の状態を示す要部縦断面図、図１０はこの発明の実施の形態１におけるエレベータのカゴ室においてカゴ室壁及びカゴ床の固定が完了する直前の状態を示す要部縦断面図、図１１はこの発明の実施の形態１におけるエレベータのカゴ室においてカゴ室壁及びカゴ床の固定が完了した状態を示す要部縦断面図、図１２はこの発明の実施の形態１におけるエレベータのカゴ室の要部縦断面であって、外気がカゴ室内へ流入する状態を示す図である。
【００１２】
図１において、１はエレベータの乗客を支えるカゴ床であって、その縁部には鉛直配置される巾木取付部１ａが立設されている。この巾木取付部１ａのカゴ室内側鉛直内面には、巾木固定部材２を介して巾木本体３が着脱自在に固定されており、乗客の靴等が接触して傷が付いた場合でも容易に交換できる構成となっている。また、これらの巾木取付部１ａ上端には、カゴ室内側へ水平方向に延びて曲成される巾木取付部１ａの刃からなるカゴ室壁下部取付部１ｂが構成されており、その長手方向両側からほぼ同距離の位置には、鉛直方向に貫通する複数の角穴１ｃが形成されている（図６参照）。４はカゴ床１上方に配置されるユニットで構成されるカゴ天井であって、その上面縁部が一段下げられ、カゴ室壁上部取付部４ａが構成されている。これらのカゴ室壁上部取付部４ａの中央及びその長手方向両側には、鉛直方向に貫通する複数の丸穴４ｂが形成されている（図７参照）。
【００１３】
５は、適宜、複数のパネル形状体を組み合わせて形成される壁パネルで構成され、カゴ天井４のカゴ室壁上部取付部４ａ及びカゴ床１のカゴ室壁下部取付部１ｂの間に立設されるカゴ室壁である。これらのカゴ室壁５上部において、上面の中央及びその長手方向両側には鉛直方向に貫通する複数の丸穴５ａが形成されている。これらの丸穴５ａには、カゴ室壁５がカゴ天井４へ固定される前に、ゴム材からなる上部取付具６下部が上方から予め差し込まれている（図２、図３、図７参照）。ここで、上部取付具６は、外径が丸穴５ａ内径よりもやや大きく形成されており、その上下端には面取りが施されている。また、これらの上部取付具６外周面上下部には、無端状底部の外径が丸穴５ａ内径よりもやや小さい上部凹部６ａ及び下部凹部６ｂが形成されている。これらの上部取付具６は、カゴ室壁５上面の丸穴５ａに差し込まれる際は、下端の面取りを利用して下部外周を縮小方向に弾性変形させながら下方へ移動され、下部凹部６ｂ上下面で丸穴５ａ近傍のカゴ室壁５上面を挟み込むようにして嵌め込まれる。そして、カゴ室壁５がカゴ天井４に固定される際は、上部取付具６上部が上端の面取りを利用して上部外周を縮小方向に弾性変形させながら下方から天井４のカゴ室壁上部取付部４ａの丸穴４ｂに挿入され（図７参照）、上部凹部６ａ上下面で丸穴４ｂ近傍のカゴ室壁上部取付部４ａを挟み込むようにして嵌め込まれる構成である（図８参照）。これにより、カゴ天井４及びカゴ室壁５は、上部取付具６の上部凹部６ａ下面及び下部凹部６ｂ上面間の距離に相当する鉛直方向の隙間を有した状態で固定され、カゴ室上部の自然換気が行われる。
【００１４】
一方、カゴ室壁５下部においては、カゴ室壁５のカゴ室側表面からなる意匠面下端が下面よりも下方へ延伸し、かつ、カゴ室外側へ水平方向に延びて曲成される下部突出部を備えた縦断面Ｌ字状の曲折部５ｂが形成されている。これらの曲折部５ｂの下部突出部上方で、カゴ室壁５下面の長手方向両側からほぼ同等の距離の位置には、鉛直方向に貫通する複数の丸穴（図示せず）が形成されている。これらの丸穴には、カゴ室壁５がカゴ床１へ固定される前に、曲折部５ｂの下部突出部よりも上方に配置されてゴム材からなる下部取付具７の本体７ａ上面から上方に突出する突出部７ｂが下方から予め差し込まれている。ここで、下部取付具７の突出部７ｂは、頭部外径がカゴ室壁５下面の丸穴内径よりもやや大きく形成されており、その上端には面取りが施されている。また、突出部７ｂ自体の外径は、カゴ室壁７下部の丸穴内径よりもやや小さく形成されている。これらの下部取付具７の突出部７ｂは、カゴ室壁５下面の丸穴に差し込まれる際は、上端の面取りを利用して頭部外周を縮小方向に弾性変形させながら上方へ移動され、頭部下面と本体７ａ上面でカゴ室壁５下面の丸穴近傍を挟み込むようにして嵌め込まれる。
【００１５】
また、これらの下部取付具７下面には、カゴ室内側に配置される鉛直部及び鉛直部下端からカゴ室外側へ突出する下部水平部からなる縦断面略Ｌ字状の挟み込み部７ｃが形成されている。この挟み込み部７ｃの下部水平部上面のカゴ室外側端には、カゴ室外側からカゴ室内側へ上昇傾斜する乗り上げ面及び乗り上げ面上端から下部水平部上面に直交する係合面で構成されるツメ部からなる係合部７ｄが形成されている。そして、カゴ室壁５がカゴ床１に固定される際は、下部取付具７がカゴ室内側から移動される（図９参照）。このとき、挟み込み部７ｃは、係合部７ｄがカゴ床１のカゴ室壁下部取付部１ｂ下面に乗り上げることにより弾性変形した状態となる。そして、下部取付具７の本体７ａ下面と挟み込み部７ｃの下部水平部上面の間にカゴ室壁下部取付部１ｂのカゴ室内側縁部が差し込まれて嵌め込まれる（図１０参照）。さらに、下部取付具７がカゴ室外側へ移動されると、挟み込み部７ｃの係合部７ｄがカゴ室壁下部取付部１ｂの角穴１ｃに挿入され、係合部７ｄの係合面と角穴１ｃのカゴ室内側内面が係合し、抜け止めとして機能する（図１１参照）。即ち、下部取付具７は、カゴ室壁下部取付部１ｂ及びカゴ室壁５下部を係合させる差し込み構造の嵌め込み部材からなる係合手段として機能している。これにより、カゴ床１及びカゴ室壁５は、カゴ室壁下部取付部１ｂがカゴ室壁５下面及び曲折部５ｂの下部水平面上面の間に離れて配置された状態で固定される。即ち、カゴ床１のカゴ室壁下部取付部１ｂ及びカゴ室壁５下部が協働することにより、曲折されたラビリンス構造からなる通気経路８が形成される。
【００１６】
なお、カゴ室壁５は、上部がカゴ天井４に固定された後に下部がカゴ室内側から移動されてカゴ床１に固定される手順でもよいし、下部がカゴ床１と固定された後に上部が上方から移動されるカゴ天井４と固定される据え付け手順でもよい。
【００１７】
上記構成のエレベータのカゴ室下部において外気がカゴ室内へ流入する場合は、図１２に示す通りである。即ち、まず、外気は、カゴ室壁５下面及びカゴ床１のカゴ室壁下部取付部１ｂ上面の間をカゴ室外側からカゴ室内側に水平方向に移動すると、カゴ室壁５の曲折部５ｂの鉛直内面に進行を妨げられる。従って、外気は残された移動経路を構成するカゴ室壁５の曲折部５ｂ内面に沿って下方へ移動した後、カゴ室外側へ移動する。その後、外気は、カゴ床１の巾木取付部１ａ鉛直内面に進行を妨げられる。従って、外気は残された移動経路を構成する巾木取付部１ａ鉛直内面上部、巾木本体３の上部水平面上面に沿って、下方へ移動した後、カゴ室内へ流入する。
【００１８】
以上で説明した実施の形態１によれば、従来、複数箇所で使用していたポップナット、ボルト、ネジ等が不要なため、部品点数、組立工数が削減、据付作業の簡略化、作業者の負担の軽減が可能なエレベータのカゴ室が実現される。また、カゴ室下部におけるカゴ室外側からカゴ室内側へ空気の流れは曲折されるため、自然換気量を確保しつつ、エレベータの走行騒音などの昇降路からの騒音がカゴ室内に進入することを低減できる。さらに、従来のようにカゴ室壁５とカゴ床１との間をスポンジテープ等で塞ぐ必要がないので、作業者の騒音対策作業の負担が低減でき、カゴ室内からの美観が損なわれることもない。また、スポンジテープの経年変化による発塵や騒音対策効果の低減、自然換気量の低下もない。加えて、上部取付具６はゴム材で形成されるため、カゴ天井４上にある換気装置やエアコンといった回転機器（図示せず）による振動を低減することができる。なお、巾木本体３の組立手順とは関係なく、カゴ室壁５の取り付けができるのはいうまでもない。また、実施の形態１では、下部取付具７はゴム材で構成されているが、樹脂、金属等、カゴ室壁５下部が差し込まれて嵌め込まれる場合に弾性変形する材料で構成されていればよい。
【００１９】
実施の形態２．
図１３はこの発明の実施の形態２におけるエレベータのカゴ室の要部拡大図であって、外気がカゴ室内へ流入する状態を示す図である。なお、実施の形態１と同一又は相当部分には同一符号を付して説明を省略する。
【００２０】
実施の形態２は、実施の形態１におけるカゴ室壁５の曲折部５ｂ内面に沿って、縦断面Ｌ字状の吸音材９を貼り付けて配置したものである。
【００２１】
以上で説明した実施の形態２によれば、実施の形態１に比べ、より騒音低減効果のあるエレベータのカゴ室が実現される。
【図面の簡単な説明】
【００２２】
【図１】この発明の実施の形態１におけるエレベータのカゴ室の縦断面図である。
【図２】この発明の実施の形態１におけるエレベータのカゴ室に用いられるカゴ室壁のカゴ室外側から見た正面図である。
【図３】図２のＡ−Ａ線における断面図である。
【図４】この発明の実施の形態１におけるエレベータのカゴ室においてカゴ室壁及び天井の固定に用いられる上部取付具の正面図である。
【図５】この発明の実施の形態１におけるエレベータのカゴ室においてカゴ室壁及びカゴ床の固定に用いられる下部取付具の側面図である。
【図６】この発明の実施の形態１におけるエレベータのカゴ室に用いられるカゴ床の要部を示す斜視図である。
【図７】この発明の実施の形態１におけるエレベータのカゴ室においてカゴ室壁及びカゴ天井の固定直前の状態を示す要部縦断面図である。
【図８】はこの発明の実施の形態１におけるエレベータのカゴ室においてカゴ室壁及びカゴ天井の固定が完了した状態を示す要部縦断面図である。
【図９】この発明の実施の形態１におけるエレベータのカゴ室においてカゴ室壁及びカゴ床の固定を開始した直後の状態を示す要部縦断面図である。
【図１０】この発明の実施の形態１におけるエレベータのカゴ室においてカゴ室壁及びカゴ床の固定が完了する直前の状態を示す要部縦断面図である。
【図１１】この発明の実施の形態１におけるエレベータのカゴ室においてカゴ室壁及びカゴ床の固定が完了した状態を示す要部縦断面図である。
【図１２】この発明の実施の形態１におけるエレベータのカゴ室の要部拡大図であって、外気がカゴ室内へ流入する状態を示す図である。
【図１３】この発明の実施の形態２におけるエレベータのカゴ室の要部拡大図であって、外気がカゴ室内へ流入する状態を示す図である。
【符号の説明】
【００２３】
１  カゴ床
１ａ  巾木取付部
１ｂ  カゴ室壁下部取付部
１ｃ  角穴
２  巾木固定部材
３  巾木本体
４  カゴ天井
４ａ  カゴ室壁上部取付部
４ｂ  丸穴
５  カゴ室壁
５ａ  丸穴
５ｂ  曲折部
６  上部取付具
６ａ  上部凹部
６ｂ  下部凹部
７  下部取付具
７ａ  本体
７ｂ  突出部
７ｃ  挟み込み部
７ｄ  係合部
８  通気経路
９  吸音材
【図１】
0005130800.tif 000002
【図２】
0005130800.tif 000003
【図３】
0005130800.tif 000004
【図４】
0005130800.tif 000005
【図５】
0005130800.tif 000006
【図６】
0005130800.tif 000007
【図７】
0005130800.tif 000008
【図８】
0005130800.tif 000009
【図９】
0005130800.tif 000010
【図１０】
0005130800.tif 000011
【図１１】
0005130800.tif 000012
【図１２】
0005130800.tif 000013
【図１３】
0005130800.tif 000014